(57)【要約】【課題】歯間の隙間に挿入して歯間の隙間に残っている食べかすを取り除くとともに、歯間の隙間が広がったり歯茎が傷ついたりすることを防ぐこともできる薄板状の歯清掃部を有する爪楊枝の構造を提供する。【解決手段】爪楊枝の構造は、爪楊枝本体１を備える。爪楊枝本体１の少なくとも一端には、薄板状の歯清掃部２，３が接続される。爪楊枝本体１の両端には、薄板状の第１の歯清掃部２及び第２の歯清掃部３がそれぞれ接続される。第１の歯清掃部２は、爪楊枝本体１に接続された一端から他端にかけて小さくなっているテーパー状を呈する。第２の歯清掃部３の両側には、鋸歯部３１がそれぞれ設けられる。【選択図】図１
0003230701.tif 000002
【実用新案登録請求の範囲】
【請求項１】
爪楊枝本体を備えた爪楊枝の構造であって、
前記爪楊枝本体の少なくとも一端に、薄板状の歯清掃部を接続したことを特徴とする、
爪楊枝の構造。
【請求項２】
前記爪楊枝本体の両端に、薄板状の第１の歯清掃部及び第２の歯清掃部をそれぞれ接続したことを特徴とする請求項１に記載の爪楊枝の構造。
【請求項３】
前記第１の歯清掃部は、前記爪楊枝本体に接続した一端から他端にかけて細くなっているテーパー状を呈し、前記第２の歯清掃部の両側に、鋸歯部をそれぞれ設けたことを特徴とする請求項２に記載の爪楊枝の構造。
【考案の詳細な説明】
【技術分野】
【０００１】
本考案は、爪楊枝の構造に関し、特に、歯間の隙間に挿入して歯間の隙間に残っている食べかすを取り除くことができるとともに、歯間の隙間が広がったり歯茎が傷ついたりすることを防ぐこともできる薄板状の歯清掃部を有する、爪楊枝の構造に関する。
【背景技術】
【０００２】
従来の爪楊枝の構造は、円棒状の爪楊枝本体の一端又は両端に、テーパー角度を有するテーパー状の歯清掃部が形成されていた。歯を磨く際、歯間の隙間に爪楊枝の歯清掃部を挿入して食べかすを取り除いていたが、テーパー状の歯清掃部の端部が尖っていたため、誤って歯茎を刺してしまい歯茎から出血してしまうことがあった。テーパー状の歯清掃部は、爪楊枝本体に近いほどその直径が大きかったため、歯間の隙間に歯清掃部を深く挿入させるほど、歯間の隙間が大きく開かれてしまうことがある上、食べかすが歯間の奥深い箇所まで押し込められ、歯間の隙間に残っている食べかすを完璧に取り除くことは容易でなかった。
【考案の概要】
【考案が解決しようとする課題】
【０００３】
本考案の目的は、歯間の隙間に挿入して歯間の隙間に残っている食べかすを取り除くとともに、歯間の隙間が広がったり歯茎が傷ついたりすることを防ぐこともできる薄板状の歯清掃部を有する、爪楊枝の構造を提供することにある。
【課題を解決するための手段】
【０００４】
上述した課題を解決するための本考案の爪楊枝の構造は、爪楊枝本体の少なくとも一端に、薄板状を呈する歯清掃部が接続され、歯清掃部が薄板状を呈するため、歯間の隙間に歯清掃部を容易に挿入させることができ、歯間の隙間に残っている食べかすを取り除くとともに、歯間の隙間が広がることを防ぎ、歯清掃部の側辺に設けられた鋸歯部により、歯間の隙間に残っている食べかすを掻き出すこともできる。そのため、歯間の隙間に残っている食べかすをほぼ完璧に取り除くことができるとともに、歯間の隙間が広がったり歯茎が傷ついたりすることを防いで安全に使用することができる。
【図面の簡単な説明】
【０００５】
【図１】本考案の一実施形態に係る爪楊枝の構造を示す斜視図である。
【図２】本考案の一実施形態に係る爪楊枝の構造を示す正面図である。
【図３】本考案の一実施形態に係る爪楊枝の構造を示す側面図である。
【図４】本考案の一実施形態に係る爪楊枝の構造を示す部分拡大図である。
【考案を実施するための形態】
【０００６】
まず、図１〜図３を参照する。図１〜図３に示すように、本考案の一実施形態に係る爪楊枝の構造は、少なくとも爪楊枝本体１から構成されてなる。
【０００７】
爪楊枝本体１は、矩形杆体である。爪楊枝本体１の両端には、薄板状の第１の歯清掃部２及び第２の歯清掃部３がそれぞれ一体に連続接続される。第１の歯清掃部２及び第２の歯清掃部３の厚さは約０．１〜０．３ｍｍである。第１の歯清掃部２は、爪楊枝本体１に接続された一端から他端にかけて小さくなっているテーパー状を呈する。第２の歯清掃部３の両側には、鋸歯部３１がそれぞれ設けられる。第１の歯清掃部２及び第２の歯清掃部３の爪楊枝本体１が接続されていない方の端部には、半円形状の先端頭部２１，３２がそれぞれ設けられる（図４を参照する）。
【０００８】
実際に使用者が本実施形態の爪楊枝を用いて歯をクリーニングする場合、まず、第１の歯清掃部２を用いて歯間の隙間をきれいにするが、第１の歯清掃部２が薄板のテーパー状を呈しているため、歯間の隙間に第１の歯清掃部２を容易に挿入させることができる。また、歯間の隙間に残っている食べかすをきれいに取り除く際、歯間の隙間に薄板状の第１の歯清掃部２を挿入しても歯間の隙間が広がってしまうことを防ぐことができる上、第１の歯清掃部２を歯間の隙間で往復移動させると歯間の隙間に深く挿入させることができるため、歯間の隙間に付着した食べかすを効果的に取り除くことができる。
【０００９】
また、第１の歯清掃部２を用いて歯をクリーニングしても歯間の隙間に食べかすが残っている場合、第２の歯清掃部３を使用する。第２の歯清掃部３が薄板状を呈するため、同様に歯間の隙間に容易に挿入させることができ、第２の歯清掃部３を歯間の隙間で往復させると、第２の歯清掃部３の両側に設けられた鋸歯部３１により、歯間の隙間に残っている食べかすを掻き出すことができる。そのため、歯間の隙間に残っている食べかすをほぼ完璧に取り除くことができる。また、第２の歯清掃部３の両側に設けられた鋸歯部３１が高い引掛保持力を有するため、果物などを食べる際、果物に確実に挿すことができるため、果物などが外れて落としてしまうことを防ぎ、便利である。
【００１０】
また、実際に使用者が本考案の爪楊枝の構造を使用して歯をクリーニングする際、第１の歯清掃部２及び第２の歯清掃部３に半円形状の先端頭部２１，３２が形成されているため、従来の尖った爪楊枝の歯清掃部の端部が、誤って歯茎などの部位に刺さって出血させてしまうなどの問題点を改善することができ、安全に使用することができる。そのため、本考案の爪楊枝の構造は、歯間の隙間に残っている食べかすを容易かつ確実に取り除くことができるとともに、歯間の隙間が広がったり歯茎が傷ついたりすることを防ぐこともできる。
【００１１】
前述した実施形態又は添付図面は本考案の爪楊枝の構造を限定するわけではなく、本考案に係る爪楊枝の構造は、爪楊枝本体１の両端に第１の歯清掃部２及び第２の歯清掃部３がそれぞれ接続される他、爪楊枝本体１の一端のみに薄板状を呈する歯清掃部が接続されてもよく、爪楊枝本体１の少なくとも一端に薄板状の歯清掃部が接続された構造は全て本考案の実用新案登録請求の範囲に含まれる。
【００１２】
上述したことから分かるように、本考案の爪楊枝の構造は、以下（１）〜（４）の長所を有する。
（１）歯清掃部が薄板状を呈するため、歯間の隙間に歯清掃部を容易に挿入させることができ、歯間の隙間に残っている食べかすをきれいに取り除くことができるとともに、歯間の隙間が広がることを防ぐこともできる。
（２）薄板状を呈する歯清掃部を歯間の隙間に挿入させ、歯清掃部の両側に設けられている鋸歯部により、歯間の隙間に残っている食べかすを掻き出すことができるため、歯間の隙間に残っている食べかすをほぼ完璧に取り除くことができる。
（３）歯清掃部の両側に鋸歯部が設けられ、爪楊枝が高い引掛保持力を有するため、果物などを食べるのに使用する際、果物などに確実に挿すことができるため便利である。
（４）歯清掃部の端部に半円形状の先端頭部が形成されているため、従来、尖った爪楊枝の歯清掃部の端部が、誤って歯茎などの部位に刺さり、出血してしまうなどの問題点を改善することができ、安全に使用することができる。
【符号の説明】
【００１３】
１  爪楊枝本体
２  第１の歯清掃部
３  第２の歯清掃部
２１  第１の先端頭部
３１  鋸歯部
３２  第２の先端頭部
【図１】
0003230701.tif 000003
【図２】
0003230701.tif 000004
【図３】
0003230701.tif 000005
【図４】
0003230701.tif 000006